(57)【要約】【課題】一対の対向壁部と中間壁部との間に物品を供給する際に、一対の対向壁部と中間壁部との間に形成される供給口を効果的に広げることができ、一対の対向壁部と中間壁部との間へ供給口から物品を効率的に供給することができる包装袋を提供することを課題とする。【解決手段】シート材を用いて形成されて対向するように配置される一対の対向壁部と、シート材を用いて形成されて一対の対向壁部のそれぞれと対向するように一対の対向壁部間に配置される中間壁部とを備えると共に、一対の対向壁部と中間壁部との間に物品を供給可能な供給口が各対向壁部の一方向の一端部と中間壁部との間に形成される包装袋であって、前記中間壁部は、少なくとも一方の対向壁部と対向方向で重なり合わない非重合部を備え、該非重合部は、一方向における一対の対向壁部の他端部よりも一端部側であって一方向に直交する他方向における一対の対向壁部の両端部間に形成されることを特徴とする。【選択図】図１
2017178322.tif 000002
【特許請求の範囲】
【請求項１】
シート材を用いて形成されて対向するように配置される一対の対向壁部と、シート材を用いて形成されて一対の対向壁部のそれぞれと対向するように一対の対向壁部間に配置される中間壁部とを備えると共に、一対の対向壁部と中間壁部との間に物品を供給可能な供給口が各対向壁部の一方向の一端部と中間壁部との間に形成される包装袋であって、
前記中間壁部は、少なくとも一方の対向壁部と対向方向で重なり合わない非重合部を備え、該非重合部は、一方向における一対の対向壁部の他端部よりも一端部側の位置であって一方向に直交する他方向における一対の対向壁部の両端部間の位置に形成される包装袋。
【請求項２】
前記非重合部は、一対の対向壁部と重なり合わない請求項１に記載の包装袋。
【請求項３】
少なくとも一方の対向壁部の一方向の一端部は、中間壁部の一方向の一端部よりも他端部側に位置することで、一方向における中間壁部の一端部と該一端部よりも他端部側に位置する対向壁部の一方向の一端部との間に前記非重合部が形成される請求項１又は２に記載の包装袋。
【発明の詳細な説明】
【技術分野】
【０００１】
本発明は、物品を収容する収容部を複数備える包装袋に関する。
【背景技術】
【０００２】
従来から、物品を収容する収容部を複数備える包装袋が知られている。例えば、２つの異なる物品を一つの収容部に収容した場合、各物品の性状によっては、一方の物品の作用によって他方の物品の状態が変化してしまう虞がある。このような場合、複数の収容部を備える包装袋を用いることで、各物品を異なる収容部に収容することができるため、包装袋内で各物品の性状が変化してしまうのを防止することが可能となる。
【０００３】
上記のような包装袋としては、例えば、シート材を用いて形成されて対向するように配置される一対の対向壁部と、シート材を用いて形成されて一対の対向壁部のそれぞれと対向するように一対の対向壁部間に配置される中間壁部とを備えるものが知られている（特許文献１，２参照）。斯かる包装袋は、一方の対向壁部と中間壁部との間に物品を収容可能な収容部が形成されると共に、他方の対向壁部と中間壁部との間にも物品を収容可能な収容部が形成されている。
【０００４】
また、斯かる包装袋には、各対向壁部の一方向の一端部と中間壁部の一方向の一端部との間に、前記収容部へ物品を供給するための供給口が形成されており、該供給口から収容部へ物品を供給することが可能となっている。そして、各収容部へ物品が供給された状態で、各供給口を閉塞することで、同一又は異なる２つの物品を互いに隔離した状態で収容することができる。
【先行技術文献】
【特許文献】
【０００５】
【特許文献１】特開２０１１−０２５９４４号公報
【特許文献２】特開２０１０−２８５１９２号公報
【発明の概要】
【発明が解決しようとする課題】
【０００６】
ところで、上記のような包装袋に物品を供給する際には、一対の対向壁部の前記一端部同士を離間させる方向に引っ張って供給口を広げる必要がある。しかしながら、一対の対向壁部の前記一端部同士を離間させる方向に引っ張ると、中間壁部の前記一端部が一方（又は、他方）の対向壁部側へ変位してしまう虞がある。このように、中間壁部の前記一端部が変位すると、変位方向に位置する対向壁部の前記一端部と中間壁部の前記一端部との間に形成される供給口を広く確保することができない。このため、収容部への物品を効率的に行うことが困難となっている。
【０００７】
そこで、本発明は、少なくとも一方の対向壁部と中間壁部との間に物品を供給する際に、少なくとも一方の対向壁部と中間壁部との間に形成される供給口を効果的に広げることができ、少なくとも一方の対向壁部と中間壁部との間へ供給口から物品を効率的に供給することができる包装袋を提供することを課題とする。
【課題を解決するための手段】
【０００８】
本発明に係る包装袋は、シート材を用いて形成されて対向するように配置される一対の対向壁部と、シート材を用いて形成されて一対の対向壁部のそれぞれと対向するように一対の対向壁部間に配置される中間壁部とを備えると共に、一対の対向壁部と中間壁部との間に物品を供給可能な供給口が各対向壁部の一方向の一端部と中間壁部との間に形成される包装袋であって、前記中間壁部は、少なくとも一方の対向壁部と重なり合わない非重合部を備え、該非重合部は、一方向における一対の対向壁部の他端部よりも一端部側の位置であって一方向に直交する他方向における一対の対向壁部の両端部間の位置に形成される。
【０００９】
斯かる構成によれば、上記のような非重合部を中間壁部が備えることで、包装袋の外側から非重合部を把持することが容易になる。これにより、非重合部において中間壁部を把持すると共に一方（又は、他方）の対向壁部を把持し、中間壁部と一方（又は、他方）の対向壁部とを離間させるように力を加えることで、一方（又は、他方）の対向壁部における一方向の一端部と中間壁部との間に形成される供給口を確実に広げることができる。これにより、一方（又は、他方）の対向壁部と中間壁部との間に供給口から物品をより効率的に供給することができる。
【００１０】
前記非重合部は、一対の対向壁部と重なり合わなくてもよい。
【００１１】
斯かる構成によれば、非重合部が一対の対向壁部と重なり合わないことで、中間壁部を両面から把持することができる。このため、非重合部において中間壁部を一方の面側から把持すると共に他方の面側に位置する一方の対向壁部を把持し、中間壁部と一方の対向壁部とを離間させるように力を加えることで、一方の対向壁部における一方向の一端部と中間壁部との間に形成される供給口を確実に広げることができる。また、非重合部において中間壁部を他方の面側から把持すると共に一方の面側に位置する他方の対向壁部を把持し、中間壁部と他方の対向壁部とを離間させるように力を加えることで、他方の対向壁部における一方向の一端部と中間壁部との間に形成される供給口を確実に広げることができる。
【００１２】
少なくとも一方の対向壁部の一方向の一端部は、中間壁部の一方向の一端部よりも他端部側に位置することで、一方向における中間壁部の一端部と該一端部よりも他端部側に位置する対向壁部の一方向の一端部との間に前記非重合部が形成されてもよい。
【００１３】
斯かる構成によれば、中間壁部における一方向の一端部と該一端部よりも他端部側に位置する対向壁部の一方向の一端部との間に非重合部が形成されるため、非重合部の面積をより広く確保することができる。これにより、非重合部において中間壁部を把持することが容易になるため、中間壁部と一方（又は、他方）の対向壁部とを離間させて供給口をより確実に広げることができる。
【発明の効果】
【００１４】
以上のように、本発明によれば、少なくとも一方の対向壁部と中間壁部との間に物品を供給する際に、少なくとも一方の対向壁部と中間壁部との間に形成される供給口を効果的に広げることができるため、少なくとも一方の対向壁部と中間壁部との間へ供給口から物品を効率的に供給することができる。
【図面の簡単な説明】
【００１５】
【図１】（ａ）は、本発明の一実施形態に係る包装袋の斜視図、（ｂ）は、（ａ）のＩ−Ｉ断面図。
【図２】図１（ａ）のＩ−Ｉ断面図であって、一対の対向壁部と中間壁部との間に物品を供給する際の力の方向を示した概念図。
【図３】（ａ）は、他の実施形態に係る包装袋を示した断面図、（ｂ）は、更に他の実施形態に係る包装袋を示した断面図。
【発明を実施するための形態】
【００１６】
以下、本発明の実施形態について図１，２を参照しながら説明する。なお、以下の図面において同一または相当する部分には同一の参照符号を付しその説明は繰り返さない。
【００１７】
本実施形態に係る包装袋１は、図１（ａ）に示すように、シート材を用いて形成される。シート材を構成する素材としては、特に限定されるものではなく、物品の性状等に応じて適宜選択されるものである。例えば、ナイロン、ポリエチレン、ポリプロピレン、ポリエチレンテレフタレート等の樹脂素材が挙げられる。また、これらの樹脂素材から形成されるフィルムにアルミニウム等の金属層が積層されたフィルムを用いることもできる。
【００１８】
また、包装袋１は、シート材を用いて形成されて対向するように配置される一対の対向壁部２，２と、シート材を用いて形成されて一対の対向壁部２，２間に配置される中間壁部３とを備える。中間壁部３は、一対の対向壁部２，２のそれぞれと対向するように配置される。即ち、包装袋１は、一対の対向壁部２，２と中間壁部３とがそれぞれ対向するように配置される。一対の対向壁部２，２及び中間壁部３は、対向方向に沿って見た際に（正面視）、四角形状となるように形成される。
【００１９】
また、包装袋１は、一対の対向壁部２，２の一方向の一端部２ａ，２ａ以外の外周端部と該外周端部に重なる中間壁部３の外周端部とがシールされて形成されたシール部Ｓを備える。これにより、図１（ｂ）に示すように、一方の対向壁部２と中間壁部３との間に物品を収容可能な収容空間Ｒ１が形成され、他方の対向壁部２と中間壁部３との間に物品を収容可能な収容空間Ｒ２が形成さる。つまり、包装袋１は、隔離された一対の収容空間Ｒ１，Ｒ２を備える。
【００２０】
また、包装袋１は、一対の対向壁部２，２と中間壁部３との間（具体的には、収容空間Ｒ１，Ｒ２）に物品を供給可能な一対の供給口４，４を備える。一対の供給口４，４は、包装袋１の中央部よりも一方向の一端部側に形成される。また、各供給口４は、各対向壁部２の一方向の一端部（以下、供給口側端部とも記す）２ａと中間壁部３との間に形成される。
【００２１】
また、包装袋１は、一対の対向壁部２，２の一方向の両端部の長さが中間壁部３の一方向の両端部の長さよりも短くなる（換言すれば、中間壁部３の一方向の両端部の長さが一対の対向壁部２，２の一方向の両端部の長さよりも長くなる）ように構成される。そして、一対の対向壁部２，２の供給口側端部２ａ，２ａは、中間壁部３における一方向の一端部（以下、供給口側端部とも記す）３ａよりも他端部３ｂ側に配置される。
【００２２】
これにより、前記中間壁部３には、一対の対向壁部２，２と重なり合わない非重合部３ｃが形成される。具体的には、非重合部３ｃは、一方向における中間壁部３の一端部３ａと該一端部３ａよりも他端部３ｂ側に位置する一対の対向壁部２，２の供給口側端部２ａ，２ａとの間に形成される。また、非重合部３ｃは、図１（ａ）に示すように、一対の対向壁部２，２における一方向の他端部２ｂ，２ｂよりも一端部（供給口側端部）２ａ，２ａ側であって一方向に直交する他方向における一対の対向壁部２，２の両端部間に形成される。本実施形態では、非重合部３ｃは、中間壁部３の一方向の一端部３ａ側の他方向に延びる帯状の領域に形成される。
【００２３】
上記のように形成される包装袋１に物品を収容する際には、各供給口４から一対の収容空間Ｒ１，Ｒ２へ物品が供給される。具体的には、図２に示すように、一方の対向壁部２（より詳しくは、一方の対向壁部２の収容空間Ｒ１を形成する面に対抗する面）の一部を把持すると共に、非重合部３ｃ（より詳しくは、非重合部３ｃにおける収容空間Ｒ１側の面に対抗する面）において中間壁部３を把持する。そして、一方の対向壁部２と中間壁部３（非重合部３ｃ）とを離間させる方向に力を加える（矢印Ｘ１方向に引き離す）ことで、一方の対向壁部２の供給口側端部２ａと中間壁部３との間に形成される供給口４が広がり、該供給口４から一方の収容空間Ｒ１へ物品が供給される。
【００２４】
次に、他方の対向壁部２（より詳しくは、他方の対向壁部２の収容空間Ｒ２を形成する面に対抗する面）の一部を把持すると共に、非重合部３ｃ（より詳しくは、非重合部３ｃにおける収容空間Ｒ２側の面に対抗する面）において中間壁部３を把持する。そして、他方の対向壁部２と中間壁部３（非重合部３ｃ）とを離間させる方向に力を加える（矢印Ｘ２方向に引き離す）ことで、他方の対向壁部２の供給口側端部２ａと中間壁部３との間に形成される供給口４が広がり、該供給口４から他方の収容空間Ｒ２へ物品が供給される。
【００２５】
そして、各供給口側端部２ａと中間壁部３とをシールして供給口４を閉塞することで、一対の収容空間Ｒ１，Ｒ２に物品が収容された包装袋１が形成される。なお、一対の対向壁部２，２及び非重合部３ｃを把持する方法としては、特に限定されるものではなく、例えば、一対の対向壁部２，２の一部及び非重合部３ｃを吸引することで一対の対向壁部２，２及び非重合部３ｃを把持してもよく、指、治具又は装置を用いて一対の対向壁部２，２及び非重合部３ｃを把持してもよい。
【００２６】
以上のように、本願実施形態に係る包装袋１は、一対の対向壁部２，２と中間壁部３との間に物品を供給する際に、一対の対向壁部２，２と中間壁部３との間に形成される供給口４を効果的に広げることができるため、一対の対向壁部２，２と中間壁部３との間へ供給口４から物品を効率的に供給することができる。
【００２７】
即ち、上記のような非重合部３ｃを中間壁部３が備えることで、包装袋１の外側から非重合部３ｃを把持することが容易になる。これにより、非重合部３ｃにおいて中間壁部３を把持すると共に一方（又は、他方）の対向壁部２を把持し、中間壁部３と一方（又は、他方）の対向壁部２とを離間させるように力を加えることで、一方（又は、他方）の対向壁部２における一方向の一端部２ａと中間壁部３との間に形成される供給口４を確実に広げることができる。これにより、一方（又は、他方）の対向壁部２と中間壁部３との間に供給口４から物品をより効率的に供給することができる。
【００２８】
また、非重合部３ｃが一対の対向壁部２と重なり合わないことで、中間壁部３を両面から把持することができる。このため、非重合部３ｃにおいて中間壁部３を一方の面側から把持すると共に他方の面側に位置する一方の対向壁部２を把持し、中間壁部３と一方の対向壁部２とを離間させるように力を加えることで、一方の対向壁部２における一方向の一端部２ａと中間壁部３との間に形成される供給口４を確実に広げることができる。また、非重合部３ｃにおいて中間壁部３を他方の面側から把持すると共に一方の面側に位置する他方の対向壁部２を把持し、中間壁部３と他方の対向壁部２とを離間させるように力を加えることで、他方の対向壁部２における一方向の一端部２ａと中間壁部３との間に形成される供給口４を確実に広げることができる。
【００２９】
中間壁部３における一方向の一端部３ａと該一端部３ａよりも他端部３ｂ側に位置する対向壁部２の一方向の一端部２ａとの間に非重合部３ｃが形成されるため、非重合部３ｃの面積をより広く確保することができる。これにより、非重合部３ｃにおいて中間壁部３を把持することが容易になるため、中間壁部３と一方（又は、他方）の対向壁部２とを離間させて供給口４をより確実に広げることができる。
【００３０】
なお、本発明に係る包装袋は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、他の各種の変更例に係る構成や方法等を任意に選択して、上記した実施形態に係る構成や方法等に採用してもよいことは勿論である。
【００３１】
例えば、上記実施形態では、非重合部３ｃは、一対の対向壁部２，２と重なり合わないように構成されているが、少なくとも一方の対向壁部２と重なり合わなければ、これに限定されるものではない。例えば、図３（ａ）に示すように、非重合部３ｃは、一方の対向壁部２と重なり合わず、他方の対向壁部２と重なり合うように構成されてもよい。
【００３２】
また、上記実施形態では、一対の対向壁部２，２の一方向の一端部２ａ，２ａが中間壁部３における一方向の一端部３ａよりも他端部３ｂ側に位置するように（重なり合わないように）構成されているが、これに限定されるものではなく、例えば、図３（ｂ）に示すように、一対の対向壁部２，２の一方向の一端部２ａ，２ａと中間壁部３の一方向の一端部３ａとが重なるように配置されてもよい。斯かる場合には、少なくとも一方（好ましくは両方）の対向壁部２に貫通口２ｃを形成することで、中間壁部３における該貫通口２ｃの投影領域が非重合部３ｃとなるように構成される。
【００３３】
また、上記実施形態では、非重合部３ｃは、一方向における中間壁部３の中央部よりも一端側に形成されているが、これに限定されるものではない。例えば、一方向における中間壁部３の一端部から中央部を超える領域に形成されてもよい。又は、図３（ｂ）に示すような貫通口２ｃが対向壁部２の一方向の中央部に形成されることで、中間壁部３における一対の対向壁部２，２との対向方向において貫通口２ｃから包装袋１の外側に露出する領域に非重合部３ｃが一方向における中間壁部３の中央部に形成されてもよい。
【符号の説明】
【００３４】
１…包装袋、２…対向壁部、３…中間壁部、３ｃ…非重合部、４…供給口、Ｒ１，Ｒ２…収容空間、Ｓ…シール部
【図１】
2017178322.tif 000003
【図２】
2017178322.tif 000004
【図３】
2017178322.tif 000005